(57)【要約】【課題】利用者の体調に作用する情報に基づいて音声案内情報を制御すること。【解決手段】移動体に搭載され、記憶装置に記憶されているコンテンツ情報を処理する情報処理装置１００であって、取得部１０１は、外気の環境に関する環境情報を取得する。抽出部１０２は、取得部１０１により取得された環境情報に基づいて記憶装置に記憶されているコンテンツ情報の中から特定のコンテンツ情報を抽出する。制御部１０３は、抽出部１０２により抽出されたコンテンツ情報を利用者に案内する音声案内情報を出力手段に出力させる。この際、制御部１０３は、取得部１０１により取得した環境情報を音声案内情報に含めて出力手段に出力させる。【選択図】図１
2007278721.tif 000002
【特許請求の範囲】
【請求項１】
移動体に搭載され、記憶装置に記憶されているコンテンツ情報を処理する情報処理装置であって、
外気の環境に関する環境情報を取得する取得手段と、
前記取得手段により取得された前記環境情報に基づいて前記記憶装置に記憶されている前記コンテンツ情報の中から特定の前記コンテンツ情報を抽出する抽出手段と、
前記抽出手段により抽出された前記コンテンツ情報を利用者に音声で案内する音声案内情報を出力手段に出力させる制御手段と、
を備えることを特徴とする情報処理装置。
【請求項２】
前記制御手段は、前記環境情報を前記音声案内情報に含めて前記出力手段に出力させることを特徴とする請求項１に記載の情報処理装置。
【請求項３】
前記環境情報は、外気の気温に関する情報であることを特徴とする請求項１または２に記載の情報処理装置。
【請求項４】
移動体に搭載され、記憶装置に記憶されているコンテンツ情報を処理する情報処理方法であって、
外気の環境に関する環境情報を取得する取得工程と、
前記取得工程で取得された前記環境情報に基づいて前記記憶装置に記憶されている前記コンテンツ情報の中から特定の前記コンテンツ情報を抽出する抽出工程と、
前記抽出工程で抽出された前記コンテンツ情報を利用者に音声で案内する音声案内情報を出力する出力工程と、
を含むことを特徴とする情報処理方法。
【請求項５】
請求項４に記載の情報処理方法をコンピュータに実行させることを特徴とする情報処理プログラム。
【請求項６】
請求項５に記載の情報処理プログラムを記録したことを特徴とするコンピュータに読み取り可能な記録媒体。
【発明の詳細な説明】
【技術分野】
【０００１】
この発明は、コンテンツ情報を処理する情報処理装置、情報処理方法、情報処理プログラムおよびコンピュータに読み取り可能な記録媒体に関する。
【背景技術】
【０００２】
従来、多様な音声案内情報を出力するナビゲーション装置は、出発地点から目的地点までの推奨経路を取得する。そして、ナビゲーション装置は、取得した推奨経路に基づいて出発地点から目的地点までの推奨経路上における任意の場所について、詳細または補助的な音声案内情報を出力部から出力する（たとえば、下記特許文献１参照。）。
【０００３】
【特許文献１】特開２００５−１８９１９９号公報
【発明の開示】
【発明が解決しようとする課題】
【０００４】
しかしながら、上記従来技術によれば、ナビゲーション装置は、多様な音声案内情報を出力部から出力することができるが、出力される音声案内情報は、出発地点から目的地点までの推奨経路など利用者の体調とは関係のない情報に基づいて作成される。したがって、ナビゲーション装置は、多様な音声案内情報を出力することができるとはいえ、気温や湿度など利用者の体調に作用する情報に基づいて音声案内情報を制御することができないという問題が一例として挙げられる。
【課題を解決するための手段】
【０００５】
上述した課題を解決し、目的を達成するため、請求項１の発明にかかる情報処理装置は、移動体に搭載され、記憶装置に記憶されているコンテンツ情報を処理する情報処理装置であって、外気の環境に関する環境情報を取得する取得手段と、前記取得手段により取得された前記環境情報に基づいて前記記憶装置に記憶されている前記コンテンツ情報の中から特定の前記コンテンツ情報を抽出する抽出手段と、前記抽出手段により抽出された前記コンテンツ情報を利用者に音声で案内する音声案内情報を出力手段に出力させる制御手段と、を備えることを特徴とする。
【０００６】
また、請求項４の発明にかかる情報処理方法は、移動体に搭載され、記憶装置に記憶されているコンテンツ情報を処理する情報処理方法であって、外気の環境に関する環境情報を取得する取得工程と、前記取得工程で取得された前記環境情報に基づいて前記記憶装置に記憶されている前記コンテンツ情報の中から特定の前記コンテンツ情報を抽出する抽出工程と、前記抽出工程で抽出された前記コンテンツ情報を利用者に音声で案内する音声案内情報を出力する出力工程と、を含むことを特徴とする。
【０００７】
また、請求項５の発明にかかる情報処理プログラムは、請求項４に記載の情報処理方法をコンピュータに実行させることを特徴とする。
【０００８】
また、請求項６の発明にかかるコンピュータに読み取り可能な記録媒体は、請求項５に記載の情報処理プログラムを記録したことを特徴とする。
【発明を実施するための最良の形態】
【０００９】
以下に添付図面を参照して、この発明にかかる情報処理装置、情報処理方法、情報処理プログラムおよびコンピュータに読み取り可能な記録媒体の好適な実施の形態を詳細に説明する。
【００１０】
（実施の形態）
（情報処理装置の機能的構成）
図１を用いて、この発明にかかる情報処理装置の機能的構成について説明する。図１は、本実施の形態にかかる情報処理装置の機能的構成の一例を示すブロック図である。
【００１１】
図１において、情報処理装置１００は、取得部１０１と、抽出部１０２と、制御部１０３と、を含み構成されている。
【００１２】
取得部１０１は、外気の環境に関する環境情報を取得する。環境情報は、たとえば、外気の気温、湿度または気象などに関する情報である。
【００１３】
抽出部１０２は、取得部１０１により取得された環境情報に基づいて記憶装置に記憶されているコンテンツ情報の中から特定のコンテンツ情報を抽出する。コンテンツ情報は、たとえば、楽曲、映画またはＴＶ番組などに関する情報、あるいは地点情報や施設情報などである。
【００１４】
制御部１０３は、抽出部１０２により抽出されたコンテンツ情報を利用者に音声で案内する音声案内情報を出力手段に出力させる。この際、制御部１０３は、取得部１０１により取得された環境情報を音声案内情報に含めて出力手段に出力させる。出力手段は、たとえばスピーカなどである。音声案内情報は、たとえば、抽出部１０２により抽出された楽曲、映画、またはＴＶ番組などに関する情報、あるいは地点情報や施設情報などを利用者に音声で案内する情報である。
【００１５】
（情報処理装置の処理の内容）
つぎに、図２を用いて、本実施の形態にかかる情報処理装置１００の処理の内容について説明する。図２は、本実施の形態にかかる情報処理装置の処理の内容を示すフローチャートである。図２のフローチャートにおいて、まず、情報処理装置１００は、動作の開始要求を受け付けたか否かを判断する（ステップＳ２０１）。動作の開始要求は、たとえば、利用者が図示しない操作部を操作して指示入力をおこなうことによりおこなう。
【００１６】
ステップＳ２０１において、動作の開始要求を受け付けるまで待って（ステップＳ２０１：Ｎｏのループ）、受け付けた場合（ステップＳ２０１：Ｙｅｓ）、取得部１０１は、外気の環境に関する環境情報を取得する（ステップＳ２０２）。環境情報は、たとえば、外気の気温、湿度または気象などに関する情報である。
【００１７】
つぎに、抽出部１０２は、ステップＳ２０２において取得部１０１により取得された環境情報に基づいて記憶装置に記憶されているコンテンツ情報の中から特定のコンテンツ情報を抽出する（ステップＳ２０３）。コンテンツ情報は、たとえば、楽曲、映画またはＴＶ番組などに関する情報、あるいは地点情報や施設情報などである。
【００１８】
そして、制御部１０３は、ステップＳ２０３において抽出部１０２により抽出されたコンテンツ情報を利用者に音声で案内する音声案内情報を出力手段に出力させる（ステップＳ２０４）。この際、制御部１０３は、環境情報を音声案内情報に含めて出力手段に出力させる。出力手段は、たとえばスピーカなどである。音声案内情報は、たとえば、抽出部１０２により抽出された楽曲、映画、またはＴＶ番組に関する情報、あるいは地点情報や施設情報などを利用者に音声で案内する情報である。
【００１９】
以上説明したように、本実施の形態によれば、情報処理装置は、外気の環境に関する環境情報を取得し、記憶装置に記録されているコンテンツ情報の中から環境情報に基づくコンテンツ情報を抽出する。そして、情報処理装置は、抽出したコンテンツ情報を利用者に音声で案内する音声案内情報を出力手段から出力する。この際、情報処理装置は、環境情報を音声案内情報に含めて出力手段に出力する。したがって、利用者の体調に作用する環境などの情報に基づいて音声案内情報を制御することにより、多様な音声案内情報を出力することができる。
【実施例】
【００２０】
以下に、本発明の実施例について説明する。本実施例では、たとえば、車両（四輪車、二輪車を含む）などの移動体に搭載されるナビゲーション装置が、磁気ディスクに記録されている楽曲情報の中から気象情報に基づく楽曲情報を抽出し、抽出した楽曲情報を音声で案内する音声案内情報に気象情報を含めてスピーカから出力する場合について説明する。
【００２１】
（ナビゲーション装置のハードウェア構成）
図３を用いて、本実施例にかかるナビゲーション装置のハードウェア構成について説明する。図３は、本実施例にかかるナビゲーション装置のハードウェア構成の一例を示すブロック図である。
【００２２】
図３において、ナビゲーション装置３００は、車両などの移動体に搭載されており、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ３１２と、ディスプレイ３１３と、通信Ｉ／Ｆ３１４と、ＧＰＳユニット３１５と、各種センサ３１６と、を備えている。また、各構成部３０１〜３１６はバス３２０によってそれぞれ接続されている。
【００２３】
まず、ＣＰＵ３０１は、ナビゲーション装置３００全体の制御を司る。ＲＯＭ３０２は、ブートプログラム、現在位置算出プログラム、経路探索プログラム、経路誘導プログラム、楽曲検索プログラム、楽曲情報抽出プログラム、音声生成プログラム、地図情報表示プログラム、通信プログラム、データベース作成プログラム、データ解析プログラムなどのプログラムを記録している。また、ＲＡＭ３０３は、ＣＰＵ３０１のワークエリアとして使用される。
【００２４】
現在位置算出プログラムは、たとえば、後述するＧＰＳユニット３１５および各種センサ３１６の出力情報に基づいて、車両の現在位置（ナビゲーション装置３００の現在位置）を算出させる。
【００２５】
経路探索プログラムは、後述する光ディスク３０７に記録されている地図情報などを利用して、出発地点から目的地点までの最適な経路を探索させる。ここで、最適な経路とは、目的地点までの最短（あるいは最速）経路やユーザが指定した条件に最も合致する経路などである。また、目的地点のみならず、立ち寄り地点や休憩地点までの経路を探索してもよい。探索された誘導経路は、ＣＰＵ３０１を介して音声Ｉ／Ｆ３０８や映像Ｉ／Ｆ３１２へ出力される。
【００２６】
経路誘導プログラムは、経路探索プログラムを実行することによって探索された誘導経路情報、現在位置算出プログラムを実行することによって算出された車両の現在位置情報、磁気ディスク３０５または光ディスク３０７から読み出された地図情報に基づいて、リアルタイムな経路誘導情報の生成をおこなわせる。生成された経路誘導情報は、ＣＰＵ３０１を介して音声Ｉ／Ｆ３０８や映像Ｉ／Ｆ３１２へ出力される。
【００２７】
楽曲検索プログラムは、楽曲データに含まれるＴＯＣ（Ｔａｂｌｅ  ｏｆ  Ｃｏｎｔｅｎｔｓ）情報を利用して、ＴＯＣ情報に含まれていないアーティスト名、ジャンル、アルバムタイトルおよびトラックタイトルなどの情報をＣＤＤＢ（Ｃｏｍｐａｃｔ  Ｄｉｓｃ  Ｄａｔａ  Ｂａｓｅ）から検索してＴＯＣ情報と関連付けてＨＤなどの磁気ディスク３０５に記録させる。ＴＯＣ情報は、音楽ＣＤの内周側のリードイン領域に書き込まれており、楽曲のトラック数、各トラックの開始アドレスおよび各トラックごとの演奏時間などのデータが含まれている。ＣＤＤＢは、インターネットで公開されており、音楽ＣＤに収録された楽曲データを検索・認識する。なお、ＣＤＤＢには、通信Ｉ／Ｆ３１４を介してアクセスする。
【００２８】
楽曲情報抽出プログラムは、磁気ディスク３０５に記録されている楽曲情報の中から気象情報に基づく楽曲情報を抽出させる。気象情報は、快晴、晴れ、曇り、雨、または雪などの気象に関する情報である。また、気象情報は、通信Ｉ／Ｆ３１４を介して気象情報を管理するサーバなどから受信される。楽曲情報抽出プログラムによる楽曲情報の抽出は、具体的には、気象情報に対応させてユーザによりあらかじめ設定されている選曲キーワードに基づいておこなわれる。選曲キーワードは、たとえば、ノリがいい曲、明るい曲、静かな曲、悲しい曲、または癒される曲などである。
【００２９】
音声生成プログラムは、パターンに対応したトーンと音声の情報を生成させる。たとえば、経路誘導プログラムを実行することによって生成された経路誘導情報に基づいて、案内ポイントに対応した仮想音源の設定と音声案内情報の生成をおこなわせる。生成された音声案内情報はＣＰＵ３０１を介して音声Ｉ／Ｆ３０８へ出力される。また、音声生成プログラムは、楽曲情報抽出プログラムを実行することによって気象情報に基づく楽曲情報が抽出された際に、気象情報に基づく音声案内情報の生成をおこなわせる。生成された音声案内情報はＣＰＵ３０１を介して音声Ｉ／Ｆ３０８へ出力される。
【００３０】
地図情報表示プログラムは、映像Ｉ／Ｆ３１２によってディスプレイ３１３に表示する地図情報の表示形式を決定させ、決定された表示形式によって地図情報をディスプレイ３１３に表示させる。
【００３１】
また、ＣＰＵ３０１は、利用者の操作によりオートモードの開始要求を受け付けた場合、気象情報を取得し、磁気ディスク３０５に記録されている楽曲情報の中から気象情報に基づく楽曲情報の抽出をおこなう。オートモードは、気象情報に基づいてユーザによりあらかじめ設定されている選曲キーワードにしたがって楽曲情報の抽出をおこなう機能である。なお、気象情報は、ＣＰＵ３０１が通信Ｉ／Ｆ３１４を介して気象情報を管理するサーバなどから受信する。また、ＣＰＵ３０１は、気象情報に基づく楽曲情報が抽出された場合、音声生成プログラムにしたがって気象情報に基づく音声案内情報を生成し、生成した音声案内情報を音声Ｉ／Ｆ３０８を介してスピーカ３１０から出力する。そして、ＣＰＵ３０１は、気象情報に基づいて抽出した楽曲情報を再生する。具体的には、ＣＰＵ３０１は、音声Ｉ／Ｆ３０８を介して楽曲情報をスピーカ３１０から出力する。
【００３２】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００３３】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱可能な記録媒体として、光ディスク３０７のほか、ＭＯ、メモリカードなどであってもよい。
【００３４】
磁気ディスク３０５または光ディスク３０７などの記録媒体に記録される情報の一例として、経路探索・経路誘導などに用いる地図情報が挙げられる。地図情報は、建物、河川、地表面などの地物（フィーチャ）をあらわす背景データと、道路の形状をあらわす道路形状データとを有しており、ディスプレイ３１３の表示画面において２次元または３次元に描画される。
【００３５】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。
【００３６】
また、交通条件データには、過去の渋滞情報を、季節・曜日・大型連休・時刻などを基準に統計処理した過去渋滞情報を記憶している。ナビゲーション装置３００は、後述する通信Ｉ／Ｆ３１４によって受信される道路交通情報によって現在発生している渋滞の情報を得るが、過去渋滞情報により、指定した時刻における渋滞状況の予想をおこなうことが可能となる。
【００３７】
また、磁気ディスク３０５または光ディスク３０７などの記録媒体に記録される他の情報の一例として、楽曲に関する楽曲情報が挙げられる。楽曲情報には、音声信号の他に楽曲のトラック数、各トラックの開始アドレスおよび各トラックごとの演奏時間などのＴＯＣ情報が含まれている。また、磁気ディスク３０５には、たとえば、トラックタイトル、アルバムタイトル、アーティスト名、ジャンルなどが楽曲情報と関連付けられて記録されている。なお、トラックタイトル、アルバムタイトル、アーティスト名、ジャンルなどの情報は、たとえば、楽曲検索プログラムによりＣＤＤＢから受信される。
【００３８】
なお、本実施例では地図情報や楽曲情報などを磁気ディスク３０５や光ディスク３０７などの記録媒体に記録するようにしたが、これに限るものではない。たとえば、地図情報や楽曲情報は、ナビゲーション装置３００のハードウェアと一体に設けられているものに限って記録されているものではなく、ナビゲーション装置３００の外部に設けられていてもよい。その場合、ナビゲーション装置３００は、たとえば、通信Ｉ／Ｆ３１４を通じて、ネットワークを介して地図情報や音楽情報を取得する。取得された地図情報や楽曲情報はＲＡＭ３０３などに記憶される。
【００３９】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。また、スピーカ３１０からは音声が出力される。なお、マイク３０９から入力された音声は、音声データとして磁気ディスク３０５あるいは光ディスク３０７に記録可能である。
【００４０】
入力デバイス３１１は、文字、数値、各種指示などの入力のための複数のキーを備えたリモコン、キーボード、マウス、タッチパネルなどが挙げられる。
【００４１】
映像Ｉ／Ｆ３１２は、ディスプレイ３１３と接続される。映像Ｉ／Ｆ３１２は、具体的には、たとえば、ディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１３を表示制御する制御ＩＣなどによって構成される。
【００４２】
ディスプレイ３１３には、アイコン、カーソル、メニュー、ウインドウ、あるいは文字や画像などの各種データが表示される。このディスプレイ３１３は、たとえば、ＣＲＴ、ＴＦＴ液晶ディスプレイ、プラズマディスプレイなどを採用することができる。また、ディスプレイ３１３は、車両に複数備えられていてもよく、たとえば、ドライバーに対するものと後部座席に着座する搭乗者に対するものなどである。
【００４３】
通信Ｉ／Ｆ３１４は、無線を介してネットワークに接続され、ナビゲーション装置３００とＣＰＵ３０１とのインターフェースとして機能する。また、通信Ｉ／Ｆ３１４は、無線を介してインターネットなどの通信網に接続され、この通信網とＣＰＵ３０１とのインターフェースとしても機能する。また、通信Ｉ／Ｆ３１４は、楽曲情報を配信するサーバなどから楽曲情報を受信する。また、通信Ｉ／Ｆ３１４は、気象情報を管理するサーバなどから気象情報を受信する。
【００４４】
通信網には、ＬＡＮ、ＷＡＮ、公衆回線網や携帯電話網などがある。具体的には、通信Ｉ／Ｆ３１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。
【００４５】
また、ＧＰＳユニット３１５は、ＧＰＳ衛星からの電波を受信し、車両の現在位置を示す情報を出力する。ＧＰＳユニット３１５の出力情報は、後述する各種センサ３１６の出力値とともに、ＣＰＵ３０１による車両の現在位置の算出に際して利用される。現在位置を示す情報は、たとえば緯度・経度、高度などの、地図情報上の１点を特定する情報である。
【００４６】
各種センサ３１６は、車速センサや加速度センサ、角速度センサなどの、車両の位置や挙動を判断することが可能な情報を出力する。各種センサ３１６の出力値は、ＣＰＵ３０１による車両の現在位置の算出や、速度や方位の変化量の測定などに用いられる。
【００４７】
なお、実施の形態にかかる情報処理装置１００の機能的構成のうち、取得部１０１は、通信Ｉ／Ｆ３１４によって、抽出部１０２は、ＣＰＵ３０１や磁気ディスク３０５によって、制御部１０３は、ＣＰＵ３０１や音声Ｉ／Ｆ３０８やスピーカ３１０によって、それぞれの機能を実現する。
【００４８】
（ナビゲーション装置３００の処理の内容）
つぎに、図４を用いて、本実施例にかかるナビゲーション装置３００の処理の内容について説明する。図４は、本実施例にかかるナビゲーション装置の処理の内容を示すフローチャートである。図４のフローチャートにおいて、まず、ナビゲーション装置３００のＣＰＵ３０１は、オートモードの開始要求を受け付けたか否かを判断する（ステップＳ４０１）。オートモードの開始要求は、たとえば、図示しない操作部を操作して指示入力をおこなうことによりおこなう。オートモードは、気象情報に基づいてユーザによりあらかじめ設定されている選曲キーワードにしたがって楽曲情報の抽出をおこなう機能である。
【００４９】
ステップＳ４０１において、オートモードの開始要求を受け付けるまで待って（ステップＳ４０１：Ｎｏのループ）、受け付けた場合（ステップＳ４０１：Ｙｅｓ）、ＣＰＵ３０１は、気象情報を取得する（ステップＳ４０２）。気象情報は、たとえば、通信Ｉ／Ｆ３１４を介して気象情報を管理するサーバなどから受信する。
【００５０】
つぎに、ＣＰＵ３０１は、磁気ディスク３０５に記録されている楽曲情報の中からステップＳ４０２において取得した気象情報に基づく楽曲情報を抽出する（ステップＳ４０３）。楽曲情報は、後述する図５に示すように気象情報に対応させてあらかじめユーザにより設定されている選曲キーワードにしたがって抽出される。選曲キーワードは、たとえば、ノリがいい曲、明るい曲、静かな曲、悲しい曲、あるいは癒される曲などである。
【００５１】
また、ＣＰＵ３０１は、スピーカ３１０から音声案内情報を出力する（ステップＳ４０４）。この際、ＣＰＵ３０１は、ステップＳ４０２において取得した気象情報を音声案内情報に含めてスピーカ３１０から出力する。音声案内情報は、ステップＳ４０３において抽出された楽曲情報をユーザに音声で案内する情報である。
【００５２】
つぎに、ＣＰＵ３０１は、ステップＳ４０３において抽出された楽曲情報を再生する（ステップＳ４０５）。具体的には、ＣＰＵ３０１が楽曲情報を音声Ｉ／Ｆ３０８を介してスピーカ３１０に出力する。
【００５３】
そして、ＣＰＵ３０１は、オートモードの終了要求を受け付けたか否かを判断する（ステップＳ４０６）。オートモードの終了要求は、たとえば、ユーザが図示しない操作部を操作して指示入力をおこなうことによりおこなう。
【００５４】
ステップＳ４０６において、オートモードの終了要求を受け付けていない場合（ステップＳ４０６：Ｎｏ）、ＣＰＵ３０１は、ステップＳ４０２の処理に戻り、処理を繰り返す。一方、ステップＳ４０６において、オートモードの終了要求を受け付けた場合（ステップＳ４０６：Ｙｅｓ）、ＣＰＵ３０１は、一連の処理を終了する。
【００５５】
つぎに、図５を用いて、本実施例にかかるナビゲーション装置のオートモードにおける気象情報と選曲キーワードと音声案内情報との一例を示す図である。図５において、気象情報は、快晴、晴れ、曇り、雨、または雪などの気象に関する情報である。選曲キーワードは、ノリがいい曲、明るい曲、静かな曲、悲しい曲、または癒される曲など曲調に関する情報である。また、選曲キーワードは、気象情報に対してあらかじめ設定されており、ユーザが変更することができる。また、音声案内情報は、気象情報および選曲キーワードに基づいて作成される。たとえば、気象情報が曇りである場合、選曲キーワードには、静かな曲が設定されている。この場合、音声案内情報は、たとえば、「曇りなので静かな曲をどうぞ」などが一例として挙げられる。
【００５６】
以上説明したように、本実施例によれば、ナビゲーション装置は、気象情報を取得し、取得した気象情報に基づく楽曲情報を磁気ディスクに記録されている楽曲情報の中から抽出する。そして、ナビゲーション装置は、抽出した楽曲情報を利用者に音声で案内する音声案内情報に気象情報を含めてスピーカから出力する。したがって、利用者の体調に作用する気象などの情報に基づいて音声案内情報を制御することにより、多様な音声案内情報を出力することができる。
【００５７】
なお、本実施例では、体調に作用する情報として気象情報を取得することとしたが、気象情報に限らず、時間帯や走行条件に関する情報でもよい。時間帯に関する情報は、たとえば、現在の時間帯が早朝、朝、夜、または深夜のどれに相当するかに関する情報である。また、走行条件に関する情報は、現在車両が有料道路または一般道路のどちらに位置しているか、あるいは道路が渋滞の状態であるか否かに関する情報である。
【００５８】
この場合、時間帯および走行条件などの各情報に対して選曲キーワードが設定されている。また、選曲キーワードはユーザが変更することができてもよい。そして、ナビゲーション装置は、時間帯または走行条件に関する情報を取得し、取得した時間帯または走行条件に対してあらかじめ設定されている選曲キーワードに基づいて楽曲情報を抽出する。そして、ナビゲーション装置は、抽出した楽曲情報を利用者に音声で案内する音声案内情報に時間帯または走行条件に関する情報を含めてスピーカから出力する。
【００５９】
また、体調に作用する情報としては、車両のエアコンのＯＮ／ＯＦＦ状態または窓の開閉状態に関する情報でもよい。この場合、車両のエアコンのＯＮ／ＯＦＦ状態または窓の開閉状態に関する各情報に対して選曲キーワードが設定されている。また、選曲キーワードはユーザが変更することができてもよい。そして、ナビゲーション装置は、車両のエアコンのＯＮ／ＯＦＦ状態または窓の開閉状態に関する情報を取得する。そして、取得した車両のエアコンのＯＮ／ＯＦＦ状態または窓の開閉状態に関する各情報に対してあらかじめ設定されている選曲キーワードに基づいて楽曲情報を抽出する。そして、ナビゲーション装置は、抽出した楽曲情報を利用者に音声で案内する音声案内情報に車両のエアコンのＯＮ／ＯＦＦ状態または窓の開閉状態に関する情報を含めてスピーカから出力する。
【００６０】
なお、本実施例にかかるナビゲーション装置は、磁気ディスクに記録されている楽曲情報の中から気象情報に基づく楽曲情報を抽出することとしたが、楽曲情報に限ることはなく、磁気ディスクに記録されている地点情報または施設情報の中から気象情報に基づく地点情報または施設情報を抽出してもよい。この場合、ナビゲーション装置は、抽出した地点情報または施設情報を音声で案内する音声案内情報に気象情報を含めてスピーカから出力する。具体的には、たとえば、気象情報から気温が高いすなわち暑いと判断された場合に、現在位置周辺の喫茶店の情報を抽出し、「暑いですね。近くにいい喫茶店がありますよ。」と音声案内をして周辺の喫茶店を表示する。また、たとえば、気象情報から当面の間暑い日が続くと判断された場合に、避暑地の情報を抽出し、「休みに避暑地に出かけませんか。」と音声案内して避暑地に出かけるドライブプランを作成する。
【００６１】
なお、本実施の形態で説明した情報処理方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００６２】
【図１】本実施の形態にかかる情報処理装置の機能的構成の一例を示すブロック図である。
【図２】本実施の形態にかかる情報処理装置の処理の内容を示すフローチャートである。
【図３】本実施例にかかるナビゲーション装置のハードウェア構成の一例を示すブロック図である。
【図４】本実施例にかかるナビゲーション装置の処理の内容を示すフローチャートである。
【図５】本実施例にかかるナビゲーション装置のオートモードにおける気象情報と選曲キーワードと音声案内情報との一例を示す図である。
【符号の説明】
【００６３】
１００  情報処理装置
１０１  取得部
１０２  抽出部
１０３  制御部
【図１】
2007278721.tif 000003
【図２】
2007278721.tif 000004
【図３】
2007278721.tif 000005
【図４】
2007278721.tif 000006
【図５】
2007278721.tif 000007